(57)【要約】【課題】充分な消毒を実現可能なイチゴ栽培用ベッド及びイチゴの栽培方法を提供する。【解決手段】鉄製のイチゴ栽培用ベッド本体２に充填された培土８を消毒するにあたって、イチゴ栽培用ベッド本体２をビニールシート９で密閉した状態で、水蒸気発生装置１１で発生する水蒸気を枝管１０ｂの孔部１０ｃを通して供給する。【選択図】図３Ｂ
2013123419.tif 000002
【特許請求の範囲】
【請求項１】
上面開口の横断面略凹状に形成され、底面及び側面に所定の開口部が設けられると共に、耐熱性材料で構成された植物栽培用ベッド本体を備える
植物栽培用ベッド。
【請求項２】
所定の開口部が設けられ、耐熱性材料で構成された底板と、
所定の開口部が設けられ、前記底板に立設されると共に、耐熱性材料で構成された第１の側板と、
所定の開口部が設けられ、前記第１の側板に対面して前記底板に立設されると共に、耐熱性材料で構成された第２の側板とを有する植物栽培用ベッド本体を備える
植物栽培用ベッド。
【請求項３】
前記植物栽培用ベッド本体の上に敷設されると共に、耐熱性材料で構成された網状の敷設部材を備える
請求項１または請求項２に記載の植物栽培用ベッド。
【請求項４】
前記植物栽培用ベッド本体は、１００℃の環境で使用可能な材料で構成された
請求項１または請求項２に記載の植物栽培用ベッド。
【請求項５】
前記敷設部材は、１００℃の環境で使用可能な材料で構成された
請求項３に記載の植物栽培用ベッド。
【請求項６】
所定の開口部が設けられ、耐熱性材料で構成された底板と、所定の開口部が設けられ、前記底板に立設されると共に、耐熱性材料で構成された第１の側板と、所定の開口部が設けられ、前記第１の側板に対面して前記底板に立設されると共に、耐熱性材料で構成された第２の側板とを有する植物栽培用ベッド本体の、前記底板、第１の側板及び第２の側板で形成される上面開口の横断面略凹状の領域に充填された培土に対して、所定の温度以上の流体を供給する工程を備える
高架栽培方法。
【請求項７】
前記植物栽培用ベッド本体を非通気性部材で略密閉状態とし、同密閉空間内で前記培土に対して、所定の温度以上の流体を供給する
請求項６に記載の高架栽培方法。
【請求項８】
前記培土は、土と堆肥とモミガラの割合が所定割合となる様に配合されている
請求項６または請求項７に記載の高架栽培方法。
【請求項９】
前記培土中の土と堆肥とモミガラの割合を所定割合とすべく収穫後に培土にモミガラを投入する工程は、収穫後に前記流体を供給する工程よりも前に行う
請求項７または請求項８に記載の高架栽培方法。
【請求項１０】
前記培土中の土と堆肥とモミガラの割合を所定割合とすべく収穫後に培土に堆肥を投入する工程は、収穫後に前記流体を供給する工程よりも後に行う
請求項７、請求項８または請求項９に記載の高架栽培方法。
【請求項１１】
前記培土は、土と堆肥とモミガラの割合が体積比で概ね７：２：１である
請求項６、請求項７、請求項８、請求項９または請求項１０に記載の高架栽培方法。
【請求項１２】
前記流体は１００℃近傍の熱湯若しくは水蒸気の少なくとも一方である
請求項６、請求項７、請求項８、請求項９、請求項１０または請求項１１に記載の高架栽培方法。
【発明の詳細な説明】
【技術分野】
【０００１】
本発明は植物栽培用ベッド及び高架栽培方法に関する。詳しくは、例えば、イチゴの栽培に使用可能な植物栽培用ベッド及び高架栽培方法に係るものである。
【背景技術】
【０００２】
従来より、農作物の栽培は、土耕栽培が行われているが、育苗から収穫に至る一連の作業において、中腰姿勢での作業が多く、その姿勢で植え付けから肥培管理、収穫に至るまで作業を行うため、苛酷な作業となっており、また、除草作業等の面倒な作業も必要であった。こうした事情に鑑みて、労働条件を改善するために、高架栽培が行われている（例えば、特許文献１参照）。
【０００３】
ここで、高架栽培についても、土耕栽培と同様に、定植前に殺菌、殺虫及び雑草の種子の死滅を主な目的とした土壌の消毒が行われている。
具体的には、透明のビニールシートで土壌を被覆した状態とし、太陽光に当て土壌を加熱することによって、土壌の消毒が行われている。
【先行技術文献】
【特許文献】
【０００４】
【特許文献１】特開２００２−２１８８４９号公報
【発明の概要】
【発明が解決しようとする課題】
【０００５】
しかしながら、透明のビニールシートで土壌を被覆して行う太陽光による土壌の消毒方法では、殺菌、殺虫及び雑草の種子の死滅が充分とは言い難く、そのために、一般に収穫後の残渣を取り除く作業を強いられている。
【０００６】
本発明は以上の点に鑑みて創案されたものであって、充分な消毒を実現可能な植物栽培用ベッド及び高架栽培方法を提供することを目的とするものである。
【課題を解決するための手段】
【０００７】
上記の目的を達成するために、本発明に係る植物栽培用ベッドは、上面開口の横断面略凹状に形成され、底面及び側面に所定の開口部が設けられると共に、耐熱性材料で構成された植物栽培用ベッド本体を備える。
【０００８】
ここで、植物栽培用ベッド本体が耐熱性材料で構成されたことによって、植物栽培用ベッド本体に充填された培土に高温の流体（例えば、１００℃近傍の熱湯や１００℃の水蒸気等）を供給することができ、こうした高温の流体を培土に供給することで充分な消毒が可能となる。
【０００９】
また、植物栽培用ベッド本体の底面及び側面に所定の開口部が設けられたことによって、開口部を通じて植物栽培用ベッド本体に充填された培土に高温の流体を供給することができると共に、開口部を通じて植物栽培用ベッド本体に充填された培土に供給された高温の流体を排出することができる。
【００１０】
更に、植物栽培用ベッド本体の底面及び側面に設けられた開口部が大きすぎる場合には、即ち、植物栽培用ベッド本体に培土を充填することを前提とすると開口部が大きすぎる場合には、植物栽培用ベッド本体の上に網状の敷設部材を敷設することで対応することができる。なお、高温の流体（例えば、１００℃近傍の熱湯や１００℃の水蒸気等）を培土に供給することが可能である様に、敷設部材についても耐熱性材料で構成される必要がある。
【００１１】
また、本発明に係る植物栽培用ベッドは、所定の開口部が設けられ、耐熱性材料で構成された底板と、所定の開口部が設けられ、前記底板に立設されると共に、耐熱性材料で構成された第１の側板と、所定の開口部が設けられ、前記第１の側板に対面して前記底板に立設されると共に、耐熱性材料で構成された第２の側板とを有する植物栽培用ベッド本体を備える。
【００１２】
ここで、底板、第１の側板及び第２の側板が耐熱性材料で構成されたことによって、換言すると、植物栽培用ベッド本体が耐熱性材料で構成されたことによって、植物栽培用ベッドに充填された培土に高温の流体（例えば、１００℃近傍の熱湯や１００℃の水蒸気等）を供給することができ、こうした高温の流体を培土に供給することで充分な消毒が可能となる。
【００１３】
また、底板、第１の側板及び第２の側板に所定の開口部が設けられたことによって、換言すると、植物栽培用ベッド本体の底面及び側面に所定の開口部が設けられたことによって、開口部を通じて植物栽培用ベッド本体に充填された培土に高温の流体を供給することができると共に、開口部を通じて植物栽培用ベッド本体に充填された培土に供給された高温の流体を排出することができる。
【００１４】
更に、底板、第１の側板及び第２の側板に設けられた開口部が大きすぎる場合には、換言すると、植物栽培用ベッド本体の底面及び側面に設けられた開口部が大きすぎる場合には、即ち、植物栽培用ベッド本体に培土を充填することを前提とすると開口部が大きすぎる場合には、植物栽培用ベッド本体の上に網状の敷設部材を敷設することで対応することができる。なお、高温の流体（例えば、１００℃近傍の熱湯や１００℃の水蒸気等）を培土に供給することが可能である様に、敷設部材についても耐熱性材料で構成される必要がある。
【００１５】
また、上記の目的を達成するために、本発明に係る高架栽培方法は、所定の開口部が設けられ、耐熱性材料で構成された底板と、所定の開口部が設けられ、前記底板に立設されると共に、耐熱性材料で構成された第１の側板と、所定の開口部が設けられ、前記第１の側板に対面して前記底板に立設されると共に、耐熱性材料で構成された第２の側板とを有する植物栽培用ベッド本体の、前記底板、第１の側板及び第２の側板で形成される上面開口の横断面略凹状の領域に充填された培土に対して、所定の温度以上の流体を供給する工程を備える。
【００１６】
ここで、培土に対して所定の温度以上の流体（例えば、１００℃近傍の熱湯や１００℃の水蒸気等）を供給することによって、充分な培土の消毒が可能となる。
【００１７】
なお、底板、第１の側板及び第２の側板が耐熱性材料で構成されていることから、換言すると、植物栽培用ベッド本体が耐熱性材料で構成されていることから、培土に対して所定の温度以上の流体を供給したとしても植物栽培用ベッド本体が損傷することは無い。
【００１８】
また、底板、第１の側板及び第２の側板に所定の開口部が設けられていることから、換言すると、植物栽培用ベッド本体の底面及び側面に所定の開口部が設けられていることから、開口部を通じて培土に対して所定の温度以上の流体を供給することができると共に、開口部を通じて培土に供給された所定の温度以上の流体を排出することができる。
【００１９】
更に、植物栽培用ベッド本体を非通気性部材（例えば、ビニールシート等）で略密閉状態とし、こうした形成された密閉空間内で培土に対して所定の温度以上の流体を供給しても良く、この様な環境下で流体を供給することで、より一層充分に培土の消毒が可能となる。
【００２０】
また、培土は、土と堆肥とモミガラの割合が所定割合（一例として、体積比で土：堆肥：モミガラ＝７：２：１）となる様に配合し、適切な通気性（通水性）を実現することが好ましい。
【００２１】
また、次の収穫のために、培土中の土と堆肥とモミガラの割合を所定割合とすべく収穫後（先の収穫後）に培土にモミガラを投入する場合には、収穫後（先の収穫後）の流体を培土に供給する工程より前に、換言すると、次の収穫のための培土の消毒よりも前に行うことが好ましい。
即ち、培土に投入されたモミガラが発芽してしまうと、定植後に活着が悪くなってしまうために、モミガラの発芽を抑止すべく、モミガラの投入後に培土に高温の流体を供給する方が好ましい。
【００２２】
また、次の収穫のために、培土中の土と堆肥とモミガラの割合を所定割合とすべく収穫後（先の収穫後）に培土に堆肥を投入する場合には、収穫後（先の収穫後）の流体を培土に供給する工程より後に、換言すると、次の収穫のための培土の消毒よりも後に行うことが好ましい。
即ち、培土に投入された堆肥が過度に発酵しない様に、堆肥の投入後の培土に高温の流体を供給することは避け、高温の流体を供給した後の培土に堆肥を投入する方が好ましい。
【発明の効果】
【００２３】
本発明の植物栽培用ベッド及び高架栽培方法では、充分な培土の消毒を実現することが可能である。
【図面の簡単な説明】
【００２４】
【図１】本発明の植物栽培用ベッドを適用したイチゴ栽培用ベッドの一例を説明するための模式図である。
【図２】植物栽培用ベッド本体の変形例を説明するための模式図である。
【図３Ａ】蒸気消毒を説明するための模式図（１）である。
【図３Ｂ】蒸気消毒を説明するための模式図（２）である。
【図４】本発明の高加栽培方法を適用したイチゴの栽培方法の一例を説明するためのフローチャートである。
【図５】耕耘機を説明するための模式図である。
【発明を実施するための形態】
【００２５】
以下、発明を実施するための形態（以下、「実施の形態」と称する。）について説明する。なお、説明は以下の順序で行う。
１．第１の実施の形態
２．第２の実施の形態
３．変形例
【００２６】
＜１．第１の実施の形態＞
図１は本発明の植物栽培用ベッドを適用したイチゴ栽培用ベッドの一例を説明するための模式図である。ここで示すイチゴ栽培用ベッド１は、主として、イチゴ栽培用ベッド本体２と、ネット３と、支柱４を有して構成されている。なお、図１ではイチゴ栽培用ベッド本体２の構成の理解の容易化を図るべく、ネット３の奥側に位置するイチゴ栽培用ベッド本体２についても、便宜上、図示を行っている。この点、ネット３が透明であることを示すものではない。
【００２７】
イチゴ栽培用ベッド本体２は、上方が開口する様に配置された鉄製のコ字形状部材５と、コ字形状部材５の底面５ａの上に所定の間隔を隔てて配置された鉄製の６本の底面直線形状部材６と、コ字形状部材５の両側の側面５ｂの内側に所定の間隔を隔てて配置された鉄製の３本の側面直線形状部材７から構成されている。
【００２８】
また、コ字形状部材５、底面直線形状部材６及び最上段を除く側面直線形状部材７は直径が６ｍｍの鉄筋が用いられており、最上段に配置された側面直線形状部材７は直径が１０ｍｍの鉄筋が用いられている。
【００２９】
なお、「コ字形状部材５の底面５ａと底面直線形状部材６で構成される領域（図１中符号Ａで示す領域）」は「所定の開口部が設けられ、耐熱性材料で構成された底板」の一例であり、「コ字形状部材５の側面５ｂと側面直線形状部材７で構成される領域（図１中符号Ｂで示す領域）」は「所定の開口部が設けられ、底板に立設されると共に、耐熱性材料で構成された第１の側板」及び「所定の開口部が設けられ、第１の側板に対面して底板に立設されると共に、耐熱性材料で構成された第２の側板」の一例である。
【００３０】
ここで、本実施の形態では、コ字形状部材５、底面直線形状部材６及び側面直線形状部材７が鉄製である場合、換言すると、イチゴ栽培用ベッド本体２が鉄製である場合を例に挙げて説明を行っているが、イチゴ栽培用ベッド本体２が耐熱性材料で構成されていれば充分であり、必ずしも鉄製である必要は無い。例えば、ステンレス鋼を利用しても良い。
【００３１】
また、本実施の形態では、最上段に配置された側面直線形状部材７が直径１０ｍｍの鉄筋を用い、それ以外の部材は直径が６ｍｍの鉄筋を用いており、直径の異なる２種類の鉄筋を用いた場合を例に挙げている。しかしながら、必ずしも直径の異なる２種類の鉄筋を用いる必要はなく、全て６ｍｍ若しくは１０ｍｍの鉄筋を用いてイチゴ栽培用ベッド本体２を構成しても良い。
【００３２】
更に、本実施の形態では、コ字形状部材５、底面直線形状部材６及び側面直線形状部材７でイチゴ栽培用ベッド本体２を構成している。しかし、イチゴ栽培用ベッド本体２は、上面開口の横断面略凹状に形成され、底面及び側面に所定の開口部が設けられると共に、耐熱性材料で構成されていれば良い。そのため、例えば、図２で示す様に、単一の鉄板に折り曲げ加工や開口加工を施して構成しても良い。
【００３３】
ネット３は耐熱性材料（例えば、鉄やステンレス鋼等）から構成されており、イチゴ栽培用ベッド本体２の上に敷設されている。詳しくは、コ字形状部材５の底面５ａの上に位置すると共に、コ字形状部材５の側面５ｂの内側に位置する様に、イチゴ栽培用ベッド本体２の上に敷設されている。
【００３４】
また、ネット３は網状に構成されており、具体的には、ネット３に培土を配置した際に、その隙間から培土が落ちない程度の網の目の粗さに構成されている。但し、図１では、網の目の図示は省略している。
なお、ネット３は「植物栽培用ベッド本体の上に敷設されると共に、耐熱性材料で構成された網状の敷設部材」の一例である。
【００３５】
ここで、本実施の形態では、ネット３を有する場合を例に挙げて説明を行っているが、イチゴ栽培用ベッド本体２が培土を保持することができれば充分であり、必ずしもネット３を有する必要は無い。例えば、イチゴ栽培用ベッド本体２の隙間が、培土が落ちない程度に構成された場合（即ち、イチゴ栽培用ベッド本体２の隙間がネット３の網の目の粗さと同程度に構成された場合）には、ネット３を有する必要は無い。
【００３６】
支柱４は耐熱性材料（例えば、鉄やステンレス鋼等）から構成されており、上端が最上段に配置された側面直線形状部材７を支持し、下端は接地している。なお、支柱４は所定間隔を隔てて複数本設けられており、支柱４によって、イチゴ栽培用ベッド本体２が所定高さに配置されることとなる。
【００３７】
上記の様に構成されたイチゴ栽培用ベッド１は、図３Ａで示す様に、イチゴ栽培用ベッド本体２の横断面略凹状の領域（図３Ａ中符号Ｃで示す領域）に培土８を充填して、イチゴを定植することとなる。
【００３８】
そして、培土８の消毒の際には、図３Ｂで示す様に、イチゴ栽培用ベッド本体２を耐熱性のビニールシート９で覆うことにより密閉空間（図３Ｂ中符号Ｄで示す空間）を形成した上で、管体１０を通して１００℃の水蒸気の供給を行う。
具体的には、管体１０はイチゴ栽培用ベッド２の長手方向に沿って培土８の上方に水平配置される主管１０ａと、主管１０ａから垂直方向に分岐して培土８に埋設される枝管１０ｂとを有しており、枝管１０ｂの先端部近傍には、孔部１０ｃが設けられており、主管１０ａと接続された水蒸気発生装置１１で発生させた水蒸気を、枝管１０ｂの孔部１０ｃを通して培土８に供給を行う。
なお、図３Ｂ（ａ）では図示の便宜上、左手前側が開放されているが、実際には、イチゴ栽培用ベッド本体２の全体をビニールシート９で覆い、左手前側も閉塞されることとなる。
【００３９】
ここで、本実施の形態では、枝管１０ｂに設けられた孔部１０ｃを通して培土８に水蒸気を供給する場合を例に挙げて説明を行っているが、枝管１０ｂに設けられた孔部１０ｃのみならず、主管１０ａにも孔部（図示せず）を設けた上で、主管１０ａに設けた孔部からも水蒸気を供給しても良い。また、本実施の形態では、主管１０ａと枝管１０ｂが設けられた管体１０を例に挙げて説明を行っているが、必ずしも枝管１０ｂが設けられる必要はなく、水平配置される主管１０ａのみから構成され、主管１０ａから水蒸気を供給しても良い。
【００４０】
更に、本実施の形態では、管体１０から１００℃の水蒸気を培土８に供給する場合を例に挙げて説明を行っているが、培土８に供給する被供給物は必ずしも水蒸気である必要はなく、培土８を高温の状態として消毒を行うことができれば充分であって、その他の流体（１００℃近傍の熱湯、水以外の高温ガス体、水以外の高温液体等）であっても良い。
【００４１】
また、本実施の形態では、ビニールシート９で密閉空間Ｄを形成する場合を例に挙げて説明を行っているが、必ずしもビニールシート９で密閉空間Ｄを形成する必要は無い。但し、ビニールシート９で密閉空間Ｄを形成した上で水蒸気を供給することで、密閉空間Ｄの内部が高温になり、培土８の消毒効果が向上すると考えられるために、ビニールシート９で密閉空間Ｄを形成した上で、水蒸気を供給する方が好ましい。
【００４２】
上記した本実施の形態のイチゴ栽培用ベッド１は、イチゴ栽培用ベッド本体２及びネット３がいずれも耐熱性材料で構成されたことによって、図３で示す様に、イチゴ栽培用ベッド本体２に充填した培土８に１００℃の水蒸気を供給することができ、充分な培土８の消毒が実現する。具体的には、イチゴの定植前に充分な殺菌、殺虫及び雑草の種子の死滅等を実現することができる。
なお、充分な培土８の消毒が実現するために、収穫後の残渣を取り除く作業を強いられることがなく、作業者の大幅な負担軽減が実現する。
【００４３】
また、上記した本実施の形態のイチゴ栽培用ベッド１は、イチゴ栽培用ベッド本体２が開口部を有して構成されると共に、ネット３が網状に構成されたことによって、枝管１０ｂの孔部１０ｃから供給された水蒸気が培土８の外部に抜けやすく、管体１０に水蒸気が留まることなく、効率的に培土８に熱を伝えることができる。
【００４４】
更に、イチゴ栽培用ベッド本体２が開口部を有して構成されると共に、ネット３が網状に構成されたことによって、１００℃の水蒸気を供給することで高温状態となった密閉空間Ｄに培土８の表面が晒されることとなり、そのことによっても、培土８の消毒効果の向上が実現することとなる。
【００４５】
＜２．第２の実施の形態＞
図４は本発明の高加栽培方法を適用したイチゴの栽培方法の一例を説明するためのフローチャートである。なお、本実施の形態は、上記した第１の実施の形態のイチゴ栽培用ベッド１を利用している。
【００４６】
以下では、培土８として体積比で「土：堆肥：モミガラ＝７：２：１」である場合を例に挙げて説明を行う。ここで、土が過大の場合には水はけが悪く、土が過小の場合には水はけが良すぎる。また、堆肥が過大の場合には水はけが悪く、堆肥が過小の場合には水はけが良すぎる。更に、モミガラが過大の場合には水はけが良すぎ、モミガラが過小の場合には水はけが悪い。
【００４７】
なお、水はけが悪いと根腐れを生じることとなり、イチゴの成長が悪化したり、収穫量が減少したりする。また、水はけが良すぎると散水回数が増えることとなり効率が悪い。また、適度な水はけ度合いを実現することで、供給する水蒸気の高い浸透性が実現でき、効果的な培土の消毒が可能となる。
【００４８】
本発明を適用したイチゴの栽培方法では、先ず、イチゴ栽培用ベッド本体２に培土８を構成する土とモミガラを投入する（図４中符号Ｓ１参照）。なお、上記の通り、体積比で「土：堆肥：モミガラ＝７：２：１」となる様な分量の土とモミガラを投入する。
【００４９】
ここで、後述の蒸気消毒に先立って、モミガラを投入するのは、モミガラが発芽してしまうと定植後の活着に悪影響を与えるため、モミガラにも高温の水蒸気を供給して、モミガラの発芽を抑制するためである。
【００５０】
次に、図５で示す様に、耕耘機１２を用いて、イチゴ栽培用ベッド本体２に投入された土とモミガラを耕す（図４中符号Ｓ２参照）。具体的には、耕耘機１２を最上段に配置された側面直線形状部材７の上に配置し、耕耘機１２に設けられた回転刃１３を回転することで耕す。
なお、回転刃１３はコ字形状部材５の底面５ａに僅かに達しない程度に構成されている。
【００５１】
ここで、本実施の形態では、耕耘機１２を用いて土とモミガラを耕す場合を例に挙げているが、必ずしも耕耘機１２を用いる必要は無く、手作業で耕しても良いのは勿論である。
【００５２】
続いて、イチゴ栽培用ベッド本体２を耐熱性のビニールシート９で覆うことにより密閉空間を形成し、管体１０を通して１００℃の水蒸気を供給することで蒸気消毒を行う（図３参照、図４中符号Ｓ３参照）。
【００５３】
ここで、被供給物が必ずしも水蒸気である必要はなく、その他の流体（１００℃近傍の熱湯、水以外の高温ガス体、水以外の高温液体等）であっても良い点は上記した第１の実施の形態と同様である。また、必ずしもビニールシート９で密閉空間を形成する必要がない点も上記した第１の実施の形態と同様である。
【００５４】
次に、イチゴ栽培用ベッド本体２に培土８を構成する肥料を投入する（図４中符号Ｓ４参照）。なお、上記の通り、体積比で「土：堆肥：モミガラ＝７：２：１」となる様な分量の肥料を投入する。
【００５５】
ここで、上述の蒸気消毒の後に、肥料を投入するのは、肥料に高温の水蒸気を供給することによる過度の発酵を抑制するためである。即ち、肥料は時間の経過に伴って徐々に発酵させた方が、追肥を行う手間が省けて効率的であると共に高い歩留まりを実現することができるために、蒸気消毒の後に肥料を投入している。
【００５６】
上述の工程を経た後に、イチゴの苗の定植を行い（図４中符号Ｓ５参照）、その後、イチゴの収穫を行う（図４中符号Ｓ６参照）。
【００５７】
ここで、収穫後は、次回の収穫のために、再度Ｓ１〜Ｓ５の工程を繰り返すこととなるが、培地８が体積比で「土：堆肥：モミガラ＝７：２：１」の割合を満たしている場合には、追加投入する必要は無く、不足したもののみを追加投入すれば充分である。
【００５８】
上記した本実施の形態のイチゴの栽培方法は、イチゴ栽培用ベッド本体２に充填した培土８に１００℃の水蒸気を供給することができ、充分な培土８の消毒が実現し、定植後の活着が早い。
【００５９】
なお、本実施の形態のイチゴの栽培方法は、培土８として体積比で「土：堆肥：モミガラ＝７：２：１」とし、適切な通気性（通水性）を実現しているために、培土８に水蒸気が浸透し易く、そのことによっても、充分な培土８の消毒が実現することとなる。
【００６０】
また、充分な培土８の消毒が実現するために、収穫後の残渣を取り除く作業を強いられることがなく、作業者の大幅な負担軽減が実現する。更に、収穫後の残渣を取り除く必要がないことから、培土８が減りにくく、繰り返しの定植を行うにあたって、培土を構成する土等の追加投入が少なくて済み、生産性の向上が期待できる。
【００６１】
なお、収穫後の残渣については、蒸気を供給することで発酵が促進されることとなり、そのことによっても、定植後の活着が早くなる。
【００６２】
また、本実施の形態のイチゴの栽培方法は、大地より離間したイチゴ栽培用ベッド本体２の中でイチゴの栽培を行うものであることから、例えば、何らかの理由で大地が汚染された様な環境においても、イチゴの栽培が実現することとなる。特に、上述の様に、土等の追加投入が少なくて済むことを併せ考えると、大地の汚染地域等におけるイチゴの栽培には特に有利である。
【００６３】
＜３．変形例＞
上記した第１の実施の形態及び第２の実施の形態では、イチゴを例に挙げて説明を行っているが、栽培対象物は必ずしもイチゴである必要はなく、その他の植物についても適用ができるのは勿論である。
【符号の説明】
【００６４】
１    イチゴ栽培用ベッド
２    イチゴ栽培用ベッド本体
３    ネット
４    支柱
５    コ字形状部材
５ａ  コ字形状部材の底面
５ｂ  コ字形状部材の側面
６    底面直線形状部材
７    側面直線形状部材
８    培土
９    ビニールシート
１０    管体
１０ａ  主管
１０ｂ  枝管
１０ｃ  孔部
１１    水蒸気発生装置
１２  ：耕耘機
１３  ：回転刃
【図１】
2013123419.tif 000003
【図２】
2013123419.tif 000004
【図３Ａ】
2013123419.tif 000005
【図３Ｂ】
2013123419.tif 000006
【図４】
2013123419.tif 000007
【図５】
2013123419.tif 000008